(57)【特許請求の範囲】
【請求項１】
ジャンルコード別に分類した多数の曲データを記憶する曲データベースと、前記ジャンルコード別に分類した多数の静止画デ−タを記憶する静止画デ−タベースと、これら曲データベースと静止画デ−タベースとを検索し所定の曲データを読み出して通信回線に送信するホスト制御部を備えたセンター側装置と、前記曲データを前記通信回線から受信する通信部と、受信した曲データを演奏部に送る端末制御部と、演奏部と表示部とを備えたカラオケ端末とからなり、
前記カラオケ端末には前記ジャンルコード別に分類した少数の静止画デ−タを格納する静止画ストック部を設け、
リクエスト時には前記カラオケ端末からリクエスト曲の番号を通信回線を介して前記センター側装置に送信し、前記ホスト制御部は当該リクエスト曲の番号に相当する曲データを通信回線を介してカラオケ端末に送信し、カラオケ端末では前記曲データを前記演奏部でデコードして順次演奏し、静止画デ−タを前記静止画ストック部から読み出し前記表示部に表示する通信カラオケシステムにおいて、
前記曲データベース内のジャンルコード別に分類した多数の静止画デ−タは、同一ジャンルコード内で静止画像毎に番号を付けて格納するとともに、
前記静止画ストック部内のジャンルコード別に分類した少数の静止画デ−タは、同一ジャンルコード内で静止画像毎に番号を付けて格納され、
前記リクエスト時には前記カラオケ端末からリクエスト曲の番号及び前記静止画ストック部内にある静止画デ−タのジャンルコード付き番号リストとを通信回線を介して前記センター側装置に送信し、
前記センター側装置の前記制御部は受信したリクエストの曲の番号及びジャンルコード付き番号リストに従い、前記静止画デ−タベースを検索して曲の番号対応の曲データを読み出し、その曲のジャンルを判定するとともに、当該ジャンルコード付き番号リストを参照し、判定されたジャンルに属するとともに当該番号リストにない別の番号の静止画像デ−タを前記静止画データベースから読み出し、読み出した曲データ及び前記別の番号の静止画データを前記通信回線を介してカラオケ端末に送信し、
前記カラオケ端末の端末制御部は当該リクエスト曲データのジャンルコードの静止画データを前記静止画ストック部から読み出して表示部に表示するとともに前記演奏部は受信した曲データを演奏し、当該曲データの演奏後に、端末制御部は表示していた静止画のデータをデータ静止画ストック部から削除し、受信した別の番号の静止画データを前記静止画ストック部に格納することを特徴とする通信カラオケシステム。
【発明の詳細な説明】
【０００１】
【発明の属する技術分野】
この発明は、静止画を通信回線を介してカラオケ端末に配信する、通信カラオケシステムに関にする。
【０００２】
【従来の技術】
従来の通信カラオケにおいては、センター側装置から、リクエストされた曲について、音（曲）データを先に送り、次に静止画デ−タを送っている。
または、静止画デ−タを先に送り、次に曲データを送っている。
受信した静止画デ−タを順次表示画面に表示するとともに、受信した音データをデコードして順次演奏している。
静止画デ−タは音（曲）データに比べ情報量が多く、送信に時間がかかり、例えば、音（曲）データが１０秒だと、静止画デ−タには５０秒程かかる。
【０００３】
【発明が解決しようとする課題】
従来の通信カラオケシステムで、音（曲）データを先に送り、次に静止画デ−タを送る順番では、静止画デ−タは送信に時間がかかっいた。
そのため、曲の演奏開始から静止画が表示されるまで時間がかかり、リアルタイム送信の実現に至っていなかった。
または、静止画デ−タを先に送り、次に曲データを送る順番では、同様な理由で、曲の演奏開始時間が遅くなってしまう欠点があった。
全ての、情報が揃ってから演奏、表示をしたのでは、時流のオンデマンドの待ち時間が大きすぎて実用に即しないものであった。
この発明では、静止画デ−タを画面に表示すると同時に、曲データを演奏する通信カラオケを提供することを目的としている。
【０００４】
【課題を解決するための手段】
この発明は、ジャンルコード別に分類した多数の曲データを記憶する曲データベースと、前記ジャンルコード別に分類した多数の静止画デ−タを記憶する静止画デ−タベースと、これら曲データベースと静止画デ−タベースとを検索し所定の曲データを読み出して通信回線に送信するホスト制御部を備えたセンター側装置と、前記曲データを前記通信回線から受信する通信部と、受信した曲データを演奏部に送る端末制御部と、演奏部と表示部とを備えたカラオケ端末とからなり、前記カラオケ端末には前記ジャンルコード別に分類した少数の静止画デ−タを格納する静止画ストック部を設け、リクエスト時には前記カラオケ端末からリクエスト曲の番号を通信回線を介して前記センター側装置に送信し、前記ホスト制御部は当該リクエスト曲の番号に相当する曲データを通信回線を介してカラオケ端末に送信し、カラオケ端末では前記曲データを前記演奏部でデコードして順次演奏し、静止画デ−タを前記静止画ストック部から読み出し前記表示部に表示する通信カラオケシステムを改良する。前記曲データベース内のジャンルコード別に分類した多数の静止画デ−タは、同一ジャンルコード内で静止画像毎に番号を付けて格納するとともに、前記静止画ストック部内のジャンルコード別に分類した少数の静止画デ−タは、同一ジャンルコード内で静止画像毎に番号を付けて格納され、前記リクエスト時には前記カラオケ端末からリクエスト曲の番号及び前記静止画ストック部内にある静止画デ−タのジャンルコード付き番号リストとを通信回線を介して前記センター側装置に送信し、前記センター側装置の前記制御部は受信したリクエストの曲の番号及びジャンルコード付き番号リストに従い、前記静止画デ−タベースを検索して曲の番号対応の曲データを読み出し、その曲のジャンルを判定するとともに、当該ジャンルコード付き番号リストを参照し、判定されたジャンルに属するとともに当該番号リストにない別の番号の静止画像デ−タを前記静止画データベースから読み出し、読み出した曲データ及び前記別の番号の静止画データを前記通信回線を介してカラオケ端末に送信し、前記カラオケ端末の端末制御部は当該リクエスト曲データのジャンルコードの静止画データを前記静止画ストック部から読み出して表示部に表示するとともに前記演奏部は受信した曲データを演奏し、当該曲データの演奏後に、端末制御部は表示していた静止画のデータをデータ静止画ストック部から削除し、受信した別の番号の静止画データを前記静止画ストック部に格納することを特徴とする。
【０００５】
【発明の実施の形態】
実施の形態１．
以下この発明を図面に従って説明する。
まず、図１において、本発明の通信カラオケシステムについて説明する。
発明に係る通信カラオケシステムでは、ホストのセンター側装置１と遠隔地にあるカラオケ端末２とは、通信回線３により接続され、１ヶ所のセンター側装置１に対して分散した多数のカラオケ端末２が接続される。
カラオケ端末２は例えば、各家庭に電話のように設置されている。
【０００６】
さて、センター側装置１は、会員に有料で提供する静止画デ−タベース４とホスト制御部５と曲データベース６とを備えている。
静止画デ−タベース４には、曲のジャンル別に分類した多数の静止画像を格納している。
曲データベース６には、番号毎に曲のＭＩＤＩデータと歌詞の文字データを１〜２万曲分がハードディスク等に予め記憶されている。各曲のＭＩＤＩデータの先頭には、その曲のジャンルコードの記号を付属させている。
【０００７】
制御部５は番号毎に曲の選定とその曲のジャンル別に静止画の選定を行い、且つ通信制御を行う。
次に、カラオケ端末２は、ホスト側から送られた静止画デ−タと曲データを通信回線３を介し受信する通信部７と、曲データから演奏を実行させる演奏部８と静止画及び歌詞の文字を表示する表示部９と、静止画デ−タを記憶する画像ストック部１０と、端末制御部１１とから構成される。
【０００８】
カラオケ端末２は図示しないリモートコントローラからリクエストを受け付け、通信部７は曲番号をセンター側装置１に通信回線３を介し送信する。
さて、画像ストック部１０は、例えば、１Ｍバイト程度のＲＡＭから構成し、当初基本ジャンルの数倍の静止画像情報を予め書き込んでおく。
即ち、画像ストック部１０内にはジャンルコード付き番号毎に静止画像が格納されている。
【０００９】
制御部１１は受信した静止画デ−タを画像ストック部１０に、曲データを演奏部８にそれぞれ送り、またその曲のジャンル別に静止画を画像ストック部１０から選定し表示部９に送る。
表示部９にはテレビのＣＲＴ１３が利用され、背景の静止画を表示する。
演奏部８はシンセサイザー機能を有し、音響発生にはテレビのスピーカ等が利用される。
【００１０】
図２において、時間経過に従って動作を説明する。
カラオケ端末２側で、リクエストがリモートコントローラ等により行われると、カラオケ端末２はその曲番号とともに、画像ストック部１０内にある静止画デ−タのジャンルコード付き番号リストを情報としてセンター側装置１に送る。
センター側装置１では、制御部５はリクエストの曲番号とジャンルコード付き番号リストを受信し、静止画デ−タベース４を検索して曲番号対応の曲データ（ＭＩＤＩ）を読み出し、その曲のジャンルを判定する。
【００１１】
ホスト制御部５は、曲データ（ＭＩＤＩ）とその曲の例えばジャンルＡとを通信回線３を介してカラオケ端末２に送る。
カラオケ端末２ではジャンル種別が、センター側装置１から送られてきたところで、端末制御部１１は画像ストック部１０からジャンルＡに対応する静止画像Ａ−５０を読み出し、表示部９上に表示を開始する。
平行して、曲データ（ＭＩＤＩ）が全て受信された後（３０秒後）に、制御部１１は曲データ（ＭＩＤＩ）を演奏部８に送り、且つ歌詞をデコードして表示部９に表示する。
【００１２】
演奏部８は曲データ（ＭＩＤＩ）から演奏用の音楽データを生成し、通常のテンポで演奏を開始する。演奏部８で演奏している間も通信部７はセンター側装置１との交信を継続し、センター側装置１の制御部５はジャンルコード付き番号リストを参照して、リクエスト曲と同じジャンルＡであって、番号リストにない別の静止画像Ａ−３を静止画データベース６から読み出す。センター側装置１の制御部５は、カラオケ端末２にないジャンルＡ−３の静止画像を、カラオケ端末２に約１０秒程度かけて送信し、その後カラオケ端末２とセンター側装置１との交信は切断される。
【００１３】
カラオケ端末２の制御部１１は受信したＡ−３の静止画像を画像ストック部１０に格納し、リクエスト曲の演奏終了により、表示していた静止画像Ａ−５０を画像ストック部１０から削除する。
この演奏中にの別の静止画を受信するので、次回の静止画像Ａ−３が画像ストック部１０に準備される。
通信回線３に接続された１ヶ所のカラオケ端末２について説明したが、別のカラオケ端末２についても独立に上述と同様なことが実行される。
【００１４】
この発明では、低速通信網を利用しても、静止画像の配信のための待時間がない。
カラオケ端末２に比較的小容量の画像メモリを搭載するだけで、センター側装置１にある膨大な静止画像を利用できる。
利用者に対し、繰り返し同じ静止画が表示されるのを少なくできる。
従来の静止画を通信することによる演奏までの時間の遅れや、背景画面の表示の遅れが気にならなくなる。
【００１５】
背景画像はジャンルコードおよび詳細内容により決定されるので、静止画の選択方法により静止画のタイプを数種類に限定して実用に耐え得る静止画の供給を可能とする。静止画のリアルタイム送信を行うことになる。
【図面の簡単な説明】
【図１】この発明の通信カラオケシステムの動作を説明する図である。
【図２】この通信カラオケシステムのブロック回路図である。
【符号の説明】
１  センター側装置
２  通信カラオケ端末
３  通信回線
４  曲デ−タベース
５  ホスト制御部
６  静止画データベース
７  カラオケ端末制御部
８  演奏部
９  表示部
１０  画像ストック部
【図１】
0003953148.tif 000002
【図２】
0003953148.tif 000003